(57)【要約】【課題】冷却効率を向上することができる投写型映像表示装置を提供する。【解決手段】投写型映像表示装置であるプロジェクタ１は、複数の冷却対象部が内部に設けられた筐体１０と、筐体１０内に吸入された空気を冷却対象部に導くダクトとを備えている。ダクトから冷却風が送出されることにより冷却風が冷却対象部を冷却する。プロジェクタ１は、所定の冷却対象部である偏光変換素子３４を冷却した冷却風が他の冷却対象部であるランプ３１ａ，３１ｂに向けて流れるように冷却風の風向を調整する風向調整部材８１を備えている。そして、風向調整部材８１が吸音材により形成されている。【選択図】図５
2012048050.tif 000002
【特許請求の範囲】
【請求項１】
複数の冷却対象部が内部に設けられた筐体と、前記筐体内に吸入された空気を前記冷却対象部に導くダクトとを備え、前記ダクトから冷却風が送出されることにより前記冷却風が前記冷却対象部を冷却する投写型映像表示装置において、
所定の冷却対象部を冷却した前記冷却風が他の冷却対象部に向けて流れるように前記冷却風の風向を調整する風向調整部材を備え、この風向調整部材が吸音材により形成されている
ことを特徴とする投写型映像表示装置。
【請求項２】
前記ダクトは、前記所定の冷却対象部に向けて開口するとともに、前記冷却風が送出される送出口を有し、
前記風向調整部材は、前記所定の冷却対象部を介して前記送出口と対向する位置に設けられている
ことを特徴とする請求項１に記載の投写型映像表示装置。
【請求項３】
前記風向調整部材は、前記筐体に比べて高い吸音性を有していることを特徴とする請求項１または２に記載の投写型映像表示装置。
【請求項４】
前記他の冷却対象部として映像表示用のランプを含むことを特徴とする請求項１〜３のいずれか一項に記載の投写型映像表示装置。
【請求項５】
前記他の冷却対象部として電気部品を含むことを特徴とする請求項１〜４のいずれか一項に記載の投写型映像表示装置。
【請求項６】
前記吸音材は発泡性樹脂材料からなることを特徴とする請求項１〜５のいずれか一項に記載の投写型映像表示装置。
【発明の詳細な説明】
【技術分野】
【０００１】
本願発明は、複数の冷却対象部が内部に設けられた筐体と、筐体内に吸入された空気を冷却対象部に導くダクトとを備える投写型映像表示装置に関する。
【背景技術】
【０００２】
上記投写型映像表示装置として、吸気ファンによって筐体の外部から内部に空気を吸入するとともに、吸入した空気をダクトに通して、このダクトから送出される冷却風により液晶パネルや偏光板等を冷却させるものが知られている（例えば、特許文献１参照）。
【先行技術文献】
【特許文献】
【０００３】
【特許文献１】特開２０１０−７８６８８号公報
【発明の概要】
【発明が解決しようとする課題】
【０００４】
ところで、従来、冷却対象部を冷却した冷却風が、筐体の内面に当たり、筐体内において発生する負圧部位に自然に流れるだけの構成が採用された場合には、冷却効率が悪いという問題があった。即ち、従来、冷却対象部を冷却した冷却風（即ち、冷却対象部を通過した冷却風）を用いて冷却効率を向上することについては考慮されていなかった。
【０００５】
本発明は、こうした実情に鑑みてなされたものであり、その目的は、冷却効率を向上することができる投写型映像表示装置を提供することにある。
【課題を解決するための手段】
【０００６】
以下、上記目的を達成するための手段及びその作用効果について記載する。
請求項１に記載の発明は、複数の冷却対象部が内部に設けられた筐体と、筐体内に吸入された空気を冷却対象部に導くダクトとを備え、ダクトから冷却風が送出されることにより冷却風が冷却対象部を冷却する投写型映像表示装置において、所定の冷却対象部を冷却した冷却風が他の冷却対象部に向けて流れるように冷却風の風向を調整する風向調整部材を備え、この風向調整部材が吸音材により形成されていることを特徴とする投写型映像表示装置。
【０００７】
上記構成によれば、投写型映像表示装置は、所定の冷却対象部を冷却した冷却風が他の冷却対象部に向けて流れるように冷却風の風向を調整する風向調整部材を備え、風向調整部材が吸音材により形成されている。このため、風向調整部材が設けられていない場合に比べて、所定の冷却対象部から他の冷却対象部に向けて冷却風が流れ易くなり、冷却効率を向上することができる。また、風向調整部材が吸音材により形成されているため、風向調整部材が吸音材以外の材料により形成されている場合に比べて、冷却風が風向調整部材に当たることに起因する騒音の発生が低減される。
【０００８】
請求項２に記載の発明は、請求項１に記載の投写型映像表示装置であって、ダクトは、所定の冷却対象部に向けて開口するとともに、冷却風が送出される送出口を有し、風向調整部材は、所定の冷却対象部を介して送出口と対向する位置に設けられていることを特徴とする。
【０００９】
上記構成によれば、ダクトは、所定の冷却対象部に向けて開口する送出口を有し、風向調整部材は、所定の冷却対象部を介して送出口と対向する位置に設けられている。このため、ダクトの送出口から冷却風が送出されることにより、所定の冷却対象部を通過した冷却風の風向を、簡単な構成で調整することができる。
【００１０】
請求項３に記載の発明は、請求項１または２に記載の投写型映像表示装置であって、風向調整部材は、筐体に比べて高い吸音性を有していることを特徴とする。
上記構成によれば、風向調整部材は、筐体に比べて高い吸音性を有している。従って、冷却風が筐体に直接当たることに起因する騒音の発生が低減される。
【００１１】
請求項４に記載の発明は、請求項１〜３のいずれか一項に記載の投写型映像表示装置であって、他の冷却対象部として映像表示用のランプを含むことを特徴とする。
上記構成によれば、他の冷却対象部として映像表示用のランプが含まれるため、発熱し易いランプの冷却効率を向上することができる。
【００１２】
請求項５に記載の発明は、請求項１〜４のいずれか一項に記載の投写型映像表示装置であって、他の冷却対象部として電気部品を含むことを特徴とする。
上記構成によれば、他の冷却対象部として電気部品が含まれるため、電気部品の冷却効率を向上することができる。特に、他の冷却対象部として、電気部品だけでなく、請求項４に記載されるように映像表示用のランプも含まれれば、筐体内の各部の冷却効率を効果的に向上させることができる。
【００１３】
請求項６に記載の発明は、請求項１〜５のいずれか一項に記載の投写型映像表示装置であって、吸音材は発泡性樹脂材料からなることを特徴とする。
上記構成によれば、吸音材は発泡性樹脂材料からなるため、風向調整部材の軽量化を図ることができる。また、発泡性樹脂材料が電気的絶縁性を有することにより、筐体内における電気回路に風向調整部材が接触して発生する電気回路の短絡を防止することができる。
【発明の効果】
【００１４】
本発明によれば、他の冷却対象部に向けて冷却風が流れ易くなり、冷却効率を向上することができる。また、騒音の発生が低減される。
【図面の簡単な説明】
【００１５】
【図１】本発明の一実施形態に係る投写型映像表示装置を示す図であって、（ａ）は斜視図、（ｂ）は側面図。
【図２】同実施形態に係る投写型映像表示装置の概略構成を示す構成図。
【図３】同実施形態に係る投写型映像表示装置の概略構成を示す構成図。
【図４】同実施形態に係る投写型映像表示装置の概略構成を示す構成図。
【図５】同実施形態に係る投写型映像表示装置において、冷却風の流れを模式的に示す模式図。
【図６】同実施形態に係る投写型映像表示装置において、冷却風の流れを模式的に示す模式図。
【図７】同実施形態に係る投写型映像表示装置において、冷却風の流れを模式的に示す模式図。
【図８】同実施形態に係る投写型映像表示装置において、冷却風の流れを模式的に示す模式図。
【図９】同実施形態に係る投写型映像表示装置において、冷却風の流れを模式的に示す模式図。
【発明を実施するための形態】
【００１６】
以下、本発明を具体化した一実施形態について図面を参照しながら説明する。
図１（ａ）及び（ｂ）に示すように、プロジェクタ１は、スクリーンや壁等の面上に映像を投写して表示する投写型映像表示装置であって、電子部品や光学部品等を内蔵する筐体１０を備えている。以下、プロジェクタ１が映像の光を投射する方向を前後方向における前方とする。また、以下の説明において上下方向は、前後方向に直交する方向であって、図中の矢印を用いて示す方向である。
【００１７】
筐体１０の内部には、筐体１０の外部から内部に空気を吸入する吸気ユニット２０と、複数の冷却対象部を含む光学系３０と、筐体１０の内部から外部に空気を排出するファン５０（図１（ｂ）参照）とが設けられている。
【００１８】
図２に示すように、プロジェクタ１は、吸気ユニット２０を構成する構成部品として、筐体１０の外部から内部に空気を吸入するとともに冷却対象部へ空気を送風するファン２１と、筐体１０内に吸入された空気を冷却対象部に導くダクト２２とを備えている。
【００１９】
ファン２１は、例えばシロッコファンにより構成された吸気ファンである。ファン２１にはダクト２２が接続され、ファン２１は、筐体１０内に吸入した空気を冷却風としてダクト２２内に送風する。本実施形態においては、筐体１０内に設けられる複数の冷却対象部に応じて、冷却対象部に冷却風を送風するファン２１として、複数のファン２１ａ〜２１ｆが設けられている。そして、ファン２１ａ〜２１ｃには、それぞれ、筐体１０内に吸入された空気を冷却対象部に導くダクト２２として、別体として形成されたダクト２２ａ〜２２ｃが接続されている。また、ファン２１ｄ〜２１ｆには、筐体１０内に吸入された空気を冷却対象部に導くダクト２２として、一体として形成されたダクト２２ｄが接続されている。
【００２０】
ダクト２２は、ファン２１によって送風された空気が冷却風として送出される送出口２３を有している。本実施形態においては、ダクト２２ａ，２２ｂは、それぞれ、冷却風が送出される送出口２３として、冷却対象部の近傍に位置する送出口２３ａ，２３ｂを有している。また、ダクト２２ｃは、冷却風が送出される送出口２３として、冷却対象部の下方に位置する送出口２３ｃを有するとともに、ダクト２２ｄは、冷却風が送出される送出口２３として、冷却対象部の下方に位置する複数の送出口２３ｄ〜２３ｆを有している。
【００２１】
以上のようにして構成された吸気ユニット２０においては、ダクト２２から送出口２３を通して冷却風が上方に送出されることにより、冷却風が冷却対象部を冷却する。本実施形態においては、冷却対象部の下方に位置する送出口２３ｃ〜２３ｆは、上方（即ち、冷却対象部）に向けて開口しているため、ダクト２２ｃ，２２ｄから冷却風が直線状に送出されて所定の冷却対象部が冷却される。
【００２２】
次に、複数の冷却対象部を含む光学系３０について説明する。
図３に示すように、プロジェクタ１は、光学系３０を構成する光学部品として、映像表示用の光源であるランプ３１ａ，３１ｂと、白色光を赤・緑・青の三原色の光に分離するダイクロイックミラー３６ｒ，３６ｂと、三原色の光に対応した液晶ライトバルブ４０ｒ，４０ｇ，４０ｂとを備えている。
【００２３】
超高圧水銀ランプやメタルハライドランプ等の放電ランプにより構成されるランプ３１ａ，３１ｂの各々は、白色光を発する。ランプ３１ａ，３１ｂの各々が発する光は、ミラー３２により液晶ライトバルブ４０ｒ，４０ｇ，４０ｂに導かれる。
【００２４】
本実施形態においては、ハーフミラー３２ａを用いることにより、ランプ３１ａ，３１ｂの各々が発した光を混ぜる構成となっている。また、光が液晶ライトバルブ４０ｒ，４０ｇ，４０ｂに入射するまでに、一対のフライアイレンズにより構成されるインテグレータレンズ３３によって照度分布の均一化が図られるとともに、偏光変換素子３４によって偏光方向が所定方向に揃えられる。また、集光レンズ３５によって光束が収束されて液晶ライトバルブ４０ｒ，４０ｇ，４０ｂに光が入射するように構成されている。
【００２５】
ランプ３１ａ，３１ｂが発する白色光は、赤色の波長の光が透過するダイクロイックミラー３６ｒと、青色の波長の光が透過するダイクロイックミラー３６ｂとにより、赤色の波長の光（以下、「赤色光」）と緑色の波長の光（以下、「緑色光」）と青色の波長の光（以下、「青色光」）とに分離される。
【００２６】
白色光から分離された赤色光は液晶ライトバルブ４０ｒに入射する。また、白色光から分離された緑色光は液晶ライトバルブ４０ｇに入射する。また、白色光から分離された青色光は液晶ライトバルブ４０ｂに入射する。液晶ライトバルブ４０ｒ，４０ｇ，４０ｂは、画像を構成する画素毎に光の透過率が変更可能なライトバルブである。液晶ライトバルブ４０ｒ，４０ｇ，４０ｂの各々は、液晶パネル４１と、液晶パネル４１に対して光が入射する側に設けられた入射側光学部品４２と、液晶パネル４１から光が出射する側に設けられた出射側光学部品４３とにより構成されている。液晶パネル４１は、液晶分子を挟む透明基板を少なくとも含んでいる。また、入射側光学部品４２及び出射側光学部品４３は、偏光板を少なくとも含んでいる。
【００２７】
液晶ライトバルブ４０ｒに入射した赤色光が、液晶ライトバルブ４０ｒを透過することによって赤色の映像が生成される。同様に、液晶ライトバルブ４０ｇに入射した緑色光が、液晶ライトバルブ４０ｇを透過することによって緑色の映像が生成され、液晶ライトバルブ４０ｂに入射した青色光が、液晶ライトバルブ４０ｂを透過することによって青色の映像が生成される。
【００２８】
さらに、プロジェクタ１は、光学系３０を構成する光学部品として、三原色の映像の光を合成するクロスダイクロイックプリズム３７と、映像の光を投射するレンズ群を備えた投射レンズ３８とを備えている。
【００２９】
液晶ライトバルブ４０ｒ，４０ｇ，４０ｂにおいて生成された赤・緑・青の映像の光は、クロスダイクロイックプリズム３７に入射して、クロスダイクロイックプリズム３７において合成されることにより、３色以上のフルカラーの映像が生成される。生成されたフルカラーの映像の光は、クロスダイクロイックプリズム３７から出射されて投射レンズ３８に入射する。
【００３０】
投射レンズ３８は、プロジェクタ１の前方に設けられるスクリーンや壁等の平面に向けて３色以上のフルカラーの映像の光を投射する。このようにしてプロジェクタ１は平面上に映像を表示する。以上のように、本実施形態に係るプロジェクタ１は、３板式の液晶プロジェクタであって、一画像を２つの光源により映し出す２灯式の投写型映像表示装置である。
【００３１】
本実施形態においては、プロジェクタ１は、冷却対象部として、映像表示用のランプ３１ａ，３１ｂと、偏光変換素子３４と、液晶ライトバルブ４０ｒ，４０ｇ，４０ｂとを備えている。偏光変換素子３４及び液晶ライトバルブ４０ｒ，４０ｇ，４０ｂの各々の下方に、上方に向けて開口する送出口２３ｃ〜２３ｆが設けられている。
【００３２】
また、図４に示すように、プロジェクタ１は、冷却対象部として、回路基板６０上に設けられた電気部品６１と、電気部品６１に電力を供給する電源部７１と、ランプ３１ａ，３１ｂに電力を供給するランプ電源部７２とを備えている。
【００３３】
電気部品６１は、電気光学装置である液晶ライトバルブ４０ｒ，４０ｇ，４０ｂを駆動するための回路や、映像信号に対して信号処理を施す回路等を構成している。本実施形態においては、電気部品６１が設けられた回路基板６０は、光学系３０の上方に設けられるとともに、送出口２３の上方を覆わないように設けられている。
【００３４】
電源部７１及びランプ電源部７２は電源回路を備えた電気部品である。電源部７１及びランプ電源部７２は、上下方向において光学系３０と被らない位置に設けられている。本実施形態においては、プロジェクタ１は、ランプ電源部７２として、ランプ３１ａに電力を供給するランプ電源部７２ａと、ランプ３１ａに電力を供給するランプ電源部７２ａとを備えている。
【００３５】
冷却対象部を冷却した冷却風、即ち、冷却対象部を通過した冷却風は、ファン５０によって筐体１０の内部から外部に送風される。本実施形態においては、ファン５０は筐体１０内に複数設けられている。
【００３６】
ここで、本実施形態においては、プロジェクタ１が冷却風の風向を調整する風向調整部材８１〜８４（図５等参照）を備え、風向調整部材８１〜８４が吸音材により形成されていることに特徴がある。
【００３７】
図５〜図９は、ダクト２２（図２参照）から送出された冷却風の流れを示す模式図である。図中において、破線の矢印は冷却風の流れを示している。
図５及び図６に示すように、風向調整部材８１は、所定の冷却対象部としての偏光変換素子３４を冷却した冷却風が、他の冷却対象部であるランプ３１ａ，３１ｂに向けて流れるように冷却風の風向を調整する風向板である。
【００３８】
風向調整部材８１は、偏光変換素子３４を介して送出口２３ｃと対向する位置に設けられている。風向調整部材８１は、送出口２３ｃから送出されて偏光変換素子３４を通過した冷却風の風向を、送出口２３ａ，２３ｂの近傍に向ける。即ち、風向調整部材８１により、下方から上方に向けて流れる冷却風の風向が上下方向に略垂直な方向となるように調整される。
【００３９】
風向調整部材８１により風向が調整された冷却風は、送出口２３ａから送出された冷却風とともにランプ３１ａを冷却するとともに、送出口２３ｂから送出された冷却風とともにランプ３１ｂを冷却する。そして、ランプ３１ａ，３１ｂを冷却した冷却風は、ファン５０により筐体１０の内部から外部へ排出される。以上のように、送出口２３ｃから送出された冷却風の流れにおいて、冷却風の流れの上流側に偏光変換素子３４が設けられ、偏光変換素子３４よりも下流側にランプ３１ａ，３１ｂが設けられる構成となっている。
【００４０】
また、図５及び図７に示すように、風向調整部材８２は、所定の冷却対象部としての液晶ライトバルブ４０ｒを冷却した冷却風が、他の冷却対象部であるランプ電源部７２ａ及びランプ３１ａに向けて流れるように冷却風の風向を調整する風向板である。
【００４１】
風向調整部材８２は、液晶ライトバルブ４０ｒを介して送出口２３ｄと対向する位置に設けられている。風向調整部材８２は、送出口２３ｄから送出されて液晶ライトバルブ４０ｒを通過した冷却風の風向を、ランプ電源部７２ａに送風するファン５０の負圧側近傍に向ける。即ち、風向調整部材８２により、下方から上方に向けて流れる冷却風の風向が上下方向に略垂直な方向となるように調整される。
【００４２】
また、風向調整部材８２と回路基板６０との間において、回路基板６０上には電気部品６１が設けられている。このため、風向調整部材８２によって風向が調整される冷却風は、風向調整部材８２と回路基板６０との間の電気部品６１を冷却する。
【００４３】
そして、風向調整部材８２により風向が調整された冷却風は、ファン５０により送風されてランプ電源部７２ａを冷却するとともに、送出口２３ａから送出された冷却風とともにランプ３１ａを冷却する。そして、ランプ３１ａを冷却した冷却風は、上述のごとく、ファン５０により筐体１０の内部から外部へ排出される。以上のように、送出口２３ｄから送出された冷却風の流れにおいて、冷却風の流れの上流側に液晶ライトバルブ４０ｒが設けられ、液晶ライトバルブ４０ｒよりも下流側に電気部品６１及びランプ電源部７２ａ及びランプ３１ａが設けられる構成となっている。
【００４４】
また、図５及び図８に示すように、風向調整部材８３は、所定の冷却対象部としての液晶ライトバルブ４０ｇを冷却した冷却風が、他の冷却対象部であるランプ３１ｂに向けて流れるように冷却風の風向を調整する風向板である。
【００４５】
風向調整部材８３は、液晶ライトバルブ４０ｇを介して送出口２３ｅと対向する位置に設けられている。風向調整部材８３は、送出口２３ｅから送出されて液晶ライトバルブ４０ｇを通過した冷却風の風向を、送出口２３ｂの近傍に向ける。即ち、風向調整部材８３により、下方から上方に向けて流れる冷却風の風向が上下方向に略垂直な方向となるように調整される。
【００４６】
また、風向調整部材８３と回路基板６０との間において、回路基板６０上には電気部品６１が設けられているため、風向調整部材８３によって風向が調整される冷却風は、風向調整部材８３と回路基板６０との間の電気部品を冷却する。
【００４７】
風向調整部材８３により風向が調整された冷却風は、送出口２３ｂから送出された冷却風とともにランプ３１ｂを冷却する。そして、ランプ３１ｂを冷却した冷却風は、上述のごとく、ファン５０により筐体１０の内部から外部へ排出される。以上のように、送出口２３ｅから送出された冷却風の流れにおいて、冷却風の流れの上流側に液晶ライトバルブ４０ｇが設けられ、液晶ライトバルブ４０ｇよりも下流側に電気部品６１及びランプ３１ｂが設けられる構成となっている。
【００４８】
また、図５及び図９に示すように、風向調整部材８４は、所定の冷却対象部としての液晶ライトバルブ４０ｂを冷却した冷却風が、他の冷却対象部である電源部７１及びランプ電源部７２ｂに向けて流れるように冷却風の風向を調整する風向板である。
【００４９】
風向調整部材８４は、液晶ライトバルブ４０ｂを介して送出口２３ｆと対向する位置に設けられている。風向調整部材８４は、送出口２３ｆから送出されて液晶ライトバルブ４０ｂを通過した冷却風の風向を、ランプ電源部７２ａに送風するファン５０の負圧側近傍に向ける。即ち、風向調整部材８４により、下方から上方に向けて流れる冷却風の風向が上下方向に略垂直な方向となるように調整される。
【００５０】
また、風向調整部材８４と回路基板６０との間において、回路基板６０上には電気部品６１が設けられているため、風向調整部材８４によって風向が調整される冷却風は、風向調整部材８４と回路基板６０との間の電気部品を冷却する。
【００５１】
風向調整部材８４により風向が調整された冷却風は、電源部７１を冷却するとともに、ファン５０により送風されてランプ電源部７２ｂを冷却する。そして、ランプ電源部７２ｂを冷却した冷却風は、筐体１０の内部から外部へ排出される。以上のように、送出口２３ｆから送出された冷却風の流れにおいて、冷却風の流れの上流側に液晶ライトバルブ４０ｂが設けられ、液晶ライトバルブ４０ｂよりも下流側に電気部品６１及び電源部７１及びランプ電源部７２ｂが設けられる構成となっている。
【００５２】
以上のように本実施形態においては、風向調整部材８１〜８４によりランプ３１ａ，３１ｂ及び電気部品６１及び電源部７１及びランプ電源部７２ａ，７２ｂの冷却効率を向上する構成となっている。
【００５３】
風向調整部材８１〜８４は、発泡性樹脂材料からなる吸音材により形成されている。具体的には、例えば、風向調整部材８１〜８４は、電気的絶縁性を有するウレタンフォームにより形成され、風向調整部材８１〜８４は、ＡＢＳ（Acrylonitrile Butadiene Styrene）等の合成樹脂により形成された筐体１０に比べて高い吸音性を有している。本実施形態においては、風向調整部材８１〜８４は、接着テープ（不図示）により筐体１０に設けられている。
【００５４】
また、本実施形態に係る風向調整部材８１〜８４は、上方に窪んだ曲面を有している。このような曲面により、風向調整部材８１〜８４は、下方から上方に向けて流れる冷却風が、若干下方に向けて流れるように風向を調整している。
【００５５】
本実施形態によれば、以下の効果を得ることができる。
（１）プロジェクタ１は、所定の冷却対象部を冷却した冷却風が他の冷却対象部に向けて流れるように冷却風の風向を調整する風向調整部材８１〜８４を備え、風向調整部材８１〜８４が吸音材により形成されている。このため、風向調整部材８１〜８４が設けられていない場合に比べて、所定の冷却対象部から他の冷却対象部に向けて冷却風が流れ易くなり、冷却効率を向上することができる。また、風向調整部材８１〜８４が吸音材により形成されているため、風向調整部材８１〜８４が吸音材以外の材料により形成されている場合に比べて、冷却風が風向調整部材８１〜８４に当たることに起因する騒音の発生が低減される。
【００５６】
（２）風向調整部材８１〜８４は、所定の冷却対象部を介して送出口２３ｃ〜２３ｆと対向する位置に設けられている。このため、ダクト２２ｃ，２２ｄの送出口２３ｃ〜２３ｆから冷却風が送出されることにより、所定の冷却対象部を通過した冷却風の風向を、簡単な構成で調整することができる。
【００５７】
（３）風向調整部材８１〜８４は、筐体１０に比べて高い吸音性を有している。従って、冷却風が筐体１０に直接当たることに起因する騒音の発生が低減される。
（４）所定の冷却対象部よりも冷却風の流れの下流側に設けられる他の冷却対象部として、映像表示用のランプ３１ａ，３１ｂが含まれる。このため、発熱し易いランプ３１ａ，３１ｂの冷却効率を向上することができる。
【００５８】
（５）所定の冷却対象部よりも冷却風の流れの下流側に設けられる他の冷却対象部として、電気部品（即ち、電気回路６０上の電気部品６１、電源部７１、及びランプ電源部７２）が含まれる。このため、電気部品の冷却効率を向上することができる。特に、本実施形態においては、冷却風の流れの下流側に設けられる他の冷却対象部として、電気部品だけでなく、映像表示用のランプ３１ａ，３１ｂも含まれるため、筐体１０内の各部の冷却効率を効果的に向上させることができる。
【００５９】
（６）風向調整部材８１〜８４を形成する吸音材は、発泡性樹脂材料からなるため、風向調整部材８１〜８４の軽量化を図ることができる。また、発泡性樹脂材料が電気的絶縁性を有することにより、筐体１０内における電気回路に風向調整部材８１〜８４が接触して発生する電気回路の短絡を防止することができる。
【００６０】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００６１】
・ファン２１の個数や配置等を適宜変更してもよい。また、ダクト２２の個数、形状、及び配置等を適宜変更してもよい。また、送出口２３の個数、形状、配置等を適宜変更してもよく、ファン２１の個数と送出口２３の個数は同じでなくてもよい。
【００６２】
・上記実施形態においては、風向調整部材８１〜８４は、接着テープを用いて筐体１０に設けられていたが、筐体１０以外の構成要素に風向調整部材８１〜８４が設けられていてもよい。また、風向調整部材８１〜８４の固定手段は接着テープに限られない。
【００６３】
・風向調整部材８１〜８４を形成する吸音材を適宜変更してもよい。例えば、ウレタン以外の発泡素材や、繊維を編み込んだ素材に空気が含まれるものであってもよい。即ち、吸音性を有しているのであれば、風向調整部材８１〜８４を形成する材料は上記実施形態に限定されない。
【００６４】
・風向調整部材８１〜８４の個数、配置、形状等を適宜変更してもよい。即ち、上記実施形態においては、プロジェクタ１は４つの風向調整部材８１〜８４を備えていたが、プロジェクタ１が備える風向調整部材の個数は上記実施形態に限定されず、また、上述のごとく風向を調整できるのであれば風向調整部材の形状は上記実施形態に限定されない。
【００６５】
・冷却対象部は、上記実施形態に記載した液晶ライトバルブ４０ｒ，４０ｇ，４０ｂ、ランプ３１ａ，３１ｂ、偏光変換素子３４、電気部品６１、電源部７１、ランプ電源部７２ｂに限定されない。これら以外の冷却対象部を冷却する場合にも、本発明を適用することができる。
【００６６】
・本発明は、３板式液晶プロジェクタに限定されるものではなく、また、２灯式の投写型映像表示装置に限定されるものではない。例えば、電気光学装置としてＤＭＤ（Digital Micromirror Device）を備えたプロジェクタに本発明を適用することもでき、また、１つのランプまたは３つ以上のランプを備えた投写型映像表示装置に本発明を適用することもできる。
【符号の説明】
【００６７】
１…プロジェクタ（投写型映像表示装置）、１０…筐体、２０…吸気ユニット、２１，２１ａ〜２１ｆ…ファン、２２，２２ａ〜２２ｄ…ダクト、２３，２３ａ〜２３ｆ…送出口、３０…光学系、３１ａ，３１ｂ…ランプ（冷却対象部）、３４…偏光変換素子（冷却対象部）、４０ｒ，４０ｇ，４０ｂ…液晶ライトバルブ（冷却対象部）、４１…液晶パネル、４２…入射側光学部品、４３…出射側光学部品、５０…ファン、６０…回路基板、６１…電気部品（冷却対象部）、７１…電源部（冷却対象部）、７２…ランプ電源部（冷却対象部）。
【図１】
2012048050.tif 000003
【図２】
2012048050.tif 000004
【図３】
2012048050.tif 000005
【図４】
2012048050.tif 000006
【図５】
2012048050.tif 000007
【図６】
2012048050.tif 000008
【図７】
2012048050.tif 000009
【図８】
2012048050.tif 000010
【図９】
2012048050.tif 000011